【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
車両に搭載される動画送信装置であって、
前記車両の外にある被写体の映像に応じた映像信号を出力するカメラ（１１）と、
前記カメラが出力した映像信号に基づく動画を構成する複数のフレームの各々に対して、フレームの進行と同期して、アニメーション画像を変化させて重畳する信号処理部（１４）と、
前記信号処理部によってアニメーション画像が重畳された前記複数のフレームから構成される動画を、前記動画を受信して前記車両の乗員に表示する動画受信装置（２）に、固定のフレームレートで無線で送信する無線モジュール（１３）と、を備えた動画送信装置。
【請求項２】
車両に搭載される動画送信装置であって、
前記車両の外にある被写体の映像に応じた映像信号を出力するカメラ（１１）と、
前記カメラが出力した映像信号に基づく動画を構成する複数のフレームの各々に対して、フレームの進行と同期して、アニメーション画像を変化させて重畳する信号処理部（１４）と、
前記信号処理部によってアニメーション画像が重畳された前記複数のフレームから構成される動画を、前記動画を受信して前記車両の乗員に表示する動画受信装置（２）に、所定のフレームレートで無線で送信する無線モジュール（１３）と、を備え、
前記動画受信装置は、受信した前記動画のフレームレートが継続して所定の警告閾値（Ｒｗ）未満となっている時間が基準時間（Ｔ１）を超えていることに基づいて警告用画像を乗員に表示し、
前記信号処理部は、送信する前記動画のフレームレートが前記警告閾値未満であり、かつ、前記動画のフレームレートが継続して前記警告閾値未満となっている時間が前記基準時間を超えていない場合に、前記カメラが取得した映像に基づく動画を構成する複数のフレームの各々に対して、フレームの進行と同期して、前記アニメーション画像を変化させて重畳することを特徴とする動画送信装置。
【請求項３】
前記信号処理部は前記フレームレートを変化させることを特徴とする請求項２に記載の動画送信装置。
【請求項４】
車両に搭載される動画受信装置であって、
前記車両の外を被写体とする映像に基づく動画を固定のフレームレートで無線で送信する動画送信装置（１）から前記動画を受信する無線モジュール（２３）と、
前記車両の乗員に映像を表示する表示器（２１）と、
前記無線モジュールが受信した前記動画を構成する複数のフレームの各々に対して、フレームの進行と同期して、アニメーション画像を変化させて重畳し、前記アニメーション画像が重畳されたフレームを前記表示器に出力することで、前記動画に基づく映像を前記表示器に表示させる信号処理部（２４）と、を備えた動画受信装置。
【請求項５】
車両に搭載される動画受信装置であって、
前記車両の外を被写体とする映像に基づく動画を所定のフレームレートで無線で送信する動画送信装置（１）から前記動画を受信する無線モジュール（２３）と、
前記車両の乗員に映像を表示する表示器（２１）と、
前記無線モジュールが受信した前記動画を構成する複数のフレームの各々に対して、フレームの進行と同期して、アニメーション画像を変化させて重畳し、前記アニメーション画像が重畳されたフレームを前記表示器に出力することで、前記動画に基づく映像を前記表示器に表示させる信号処理部（２４）と、を備え、
前記信号処理部は、前記フレームレートが所定の警告閾値（Ｒｗ）未満であり、前記フレームレートが継続して前記警告閾値未満である時間が基準時間（Ｔ１）を超えている場合、警告用画像（９２）を前記表示器に表示させ、
前記信号処理部は、前記フレームレートが前記警告閾値未満であり、前記フレームレートが継続して前記警告閾値未満となっている時間が前記基準時間を超えていない場合、前記警告用画像を前記表示器に表示させず、かつ、前記無線モジュールが受信した前記動画を構成する複数のフレームの各々に対して、フレームの進行と同期して、前記アニメーション画像を変化させて重畳することを特徴とする動画受信装置。
【請求項６】
前記信号処理部は、前記フレームレートが所定の報知閾値（Ｒｎ）未満である場合、前記動画を構成する複数のフレームの各々に対して、報知用画像（９１）を重畳することを特徴とする請求項５に記載の動画受信装置。
【請求項７】
車両に搭載されて前記車両の外にある被写体の映像に基づく動画を構成する複数のフレームの各々に対して、フレームの進行と同期して、アニメーション画像を変化させて重畳し、前記アニメーション画像が重畳されたフレームを固定のフレームレートで無線で送信する動画送信装置（１）と、
前記車両に搭載されて前記動画送信装置が送信した前記動画を受信し、前記動画に基づく映像を前記車両の乗員に表示する動画受信装置（２）と、を備えた動画通信システム。
【請求項８】
車両に搭載されて前記車両の外にある被写体の映像に基づく動画を構成する複数のフレームの各々に対して、フレームの進行と同期して、アニメーション画像を変化させて重畳し、前記アニメーション画像が重畳されたフレームを所定のフレームレートで無線で送信する動画送信装置（１）と、
前記車両に搭載されて前記動画送信装置が送信した前記動画を受信し、前記動画に基づく映像を前記車両の乗員に表示する動画受信装置（２）と、を備え、
前記動画受信装置は、受信した前記動画のフレームレートが継続して所定の警告閾値（Ｒｗ）未満となっている時間が基準時間（Ｔ１）を超えていることに基づいて警告用画像を乗員に表示し、
前記動画送信装置は、送信する前記動画のフレームレートが前記警告閾値未満であり、かつ、前記動画のフレームレートが継続して前記警告閾値未満となっている時間が前記基準時間を超えていない場合に、前記被写体の映像に基づく前記動画を構成する複数のフレームの各々に対して、フレームの進行と同期して、前記アニメーション画像を変化させて重畳することを特徴とする動画通信システム。
【請求項９】
車両に搭載されて前記車両の外にある被写体の映像に基づく動画を固定のフレームレートで無線で送信する動画送信装置（１）と、
前記車両に搭載されて前記動画送信装置が送信した前記動画を受信し、受信した前記動画を構成する複数のフレームの各々に対して、フレームの進行と同期して、アニメーション画像を変化させて重畳し、前記アニメーション画像が重畳されたフレームから構成された前記動画に基づく映像を前記車両の乗員に表示する動画受信装置（２）と、を備えた動画通信システム。
【請求項１０】
車両に搭載されて前記車両の外にある被写体の映像に基づく動画を所定のフレームレートで無線で送信する動画送信装置（１）と、
前記車両に搭載されて前記動画送信装置が送信した前記動画を受信し、受信した前記動画を構成する複数のフレームの各々に対して、フレームの進行と同期して、アニメーション画像を変化させて重畳し、前記アニメーション画像が重畳されたフレームから構成された前記動画に基づく映像を前記車両の乗員に表示する動画受信装置（２）と、を備え、
前記動画受信装置は、前記フレームレートが所定の警告閾値（Ｒｗ）未満であり、前記フレームレートが継続して前記警告閾値未満である時間が基準時間（Ｔ１）を超えている場合、警告用画像（９２）を表示し、
前記動画受信装置は、前記フレームレートが前記警告閾値未満であり、前記フレームレートが継続して前記警告閾値未満となっている時間が前記基準時間を超えていない場合、前記警告用画像を表示せず、かつ、受信した前記動画を構成する複数のフレームの各々に対して、フレームの進行と同期して、前記アニメーション画像を変化させて重畳することを特徴とする動画通信システム。
【手続補正２】
【補正対象書類名】明細書
【補正対象項目名】０００８
【補正方法】変更
【補正の内容】
【０００８】
上記目的を達成するための請求項１に記載の発明は、車両に搭載される動画送信装置であって、前記車両の外にある被写体の映像に応じた映像信号を出力するカメラ（１１）と、前記カメラが出力した映像信号に基づく動画を構成する複数のフレームの各々に対して、フレームの進行と同期して、アニメーション画像を変化させて重畳する信号処理部（１４）と、前記信号処理部によってアニメーション画像が重畳された前記複数のフレームから構成される動画を、前記動画を受信して前記車両の乗員に表示する動画受信装置（２）に、固定のフレームレートで無線で送信する無線モジュール（１３）と、を備えた動画送信装置である。
また、請求項２に記載の発明は、車両に搭載される動画送信装置であって、前記車両の外にある被写体の映像に応じた映像信号を出力するカメラ（１１）と、前記カメラが出力した映像信号に基づく動画を構成する複数のフレームの各々に対して、フレームの進行と同期して、アニメーション画像を変化させて重畳する信号処理部（１４）と、前記信号処理部によってアニメーション画像が重畳された前記複数のフレームから構成される動画を、前記動画を受信して前記車両の乗員に表示する動画受信装置（２）に、所定のフレームレートで無線で送信する無線モジュール（１３）と、を備え、前記動画受信装置は、受信した前記動画のフレームレートが継続して所定の警告閾値（Ｒｗ）未満となっている時間が基準時間（Ｔ１）を超えていることに基づいて警告用画像を乗員に表示し、前記信号処理部は、送信する前記動画のフレームレートが前記警告閾値未満であり、かつ、前記動画のフレームレートが継続して前記警告閾値未満となっている時間が前記基準時間を超えていない場合に、前記カメラが取得した映像に基づく動画を構成する複数のフレームの各々に対して、フレームの進行と同期して、前記アニメーション画像を変化させて重畳することを特徴とする動画送信装置である。
【手続補正３】
【補正対象書類名】明細書
【補正対象項目名】０００９
【補正方法】変更
【補正の内容】
【０００９】
また、請求項４に記載の発明は、車両に搭載される動画受信装置であって、前記車両の外を被写体とする映像に基づく動画を固定のフレームレートで無線で送信する動画送信装置（１）から前記動画を受信する無線モジュール（２３）と、前記車両の乗員に映像を表示する表示器（２１）と、前記無線モジュールが受信した前記動画を構成する複数のフレームの各々に対して、フレームの進行と同期して、アニメーション画像を変化させて重畳し、前記アニメーション画像が重畳されたフレームを前記表示器に出力することで、前記動画に基づく映像を前記表示器に表示させる信号処理部（２４）と、を備えた動画受信装置である。
また、請求項５に記載の発明は、車両に搭載される動画受信装置であって、前記車両の外を被写体とする映像に基づく動画を所定のフレームレートで無線で送信する動画送信装置（１）から前記動画を受信する無線モジュール（２３）と、前記車両の乗員に映像を表示する表示器（２１）と、前記無線モジュールが受信した前記動画を構成する複数のフレームの各々に対して、フレームの進行と同期して、アニメーション画像を変化させて重畳し、前記アニメーション画像が重畳されたフレームを前記表示器に出力することで、前記動画に基づく映像を前記表示器に表示させる信号処理部（２４）と、を備え、前記信号処理部は、前記フレームレートが所定の警告閾値（Ｒｗ）未満であり、前記フレームレートが継続して前記警告閾値未満である時間が基準時間（Ｔ１）を超えている場合、警告用画像（９２）を前記表示器に表示させ、前記信号処理部は、前記フレームレートが前記警告閾値未満であり、前記フレームレートが継続して前記警告閾値未満となっている時間が前記基準時間を超えていない場合、前記警告用画像を前記表示器に表示させず、かつ、前記無線モジュールが受信した前記動画を構成する複数のフレームの各々に対して、フレームの進行と同期して、前記アニメーション画像を変化させて重畳することを特徴とする動画受信装置である。
【手続補正４】
【補正対象書類名】明細書
【補正対象項目名】００１０
【補正方法】変更
【補正の内容】
【００１０】
また、請求項７に記載の発明は、車両に搭載されて前記車両の外にある被写体の映像に基づく動画を構成する複数のフレームの各々に対して、フレームの進行と同期して、アニメーション画像を変化させて重畳し、前記アニメーション画像が重畳されたフレームを固定のフレームレートで無線で送信する動画送信装置（１）と、前記車両に搭載されて前記動画送信装置が送信した前記動画を受信し、前記動画に基づく映像を前記車両の乗員に表示する動画受信装置（２）と、を備えた動画通信システムである。
また、請求項８に記載の発明は、車両に搭載されて前記車両の外にある被写体の映像に基づく動画を構成する複数のフレームの各々に対して、フレームの進行と同期して、アニメーション画像を変化させて重畳し、前記アニメーション画像が重畳されたフレームを所定のフレームレートで無線で送信する動画送信装置（１）と、前記車両に搭載されて前記動画送信装置が送信した前記動画を受信し、前記動画に基づく映像を前記車両の乗員に表示する動画受信装置（２）と、を備え、前記動画受信装置は、受信した前記動画のフレームレートが継続して所定の警告閾値（Ｒｗ）未満となっている時間が基準時間（Ｔ１）を超えていることに基づいて警告用画像を乗員に表示し、前記動画送信装置は、送信する前記動画のフレームレートが前記警告閾値未満であり、かつ、前記動画のフレームレートが継続して前記警告閾値未満となっている時間が前記基準時間を超えていない場合に、前記被写体の映像に基づく前記動画を構成する複数のフレームの各々に対して、フレームの進行と同期して、前記アニメーション画像を変化させて重畳することを特徴とする動画通信システムである。
【手続補正５】
【補正対象書類名】明細書
【補正対象項目名】００１１
【補正方法】変更
【補正の内容】
【００１１】
また、請求項９に記載の発明は、車両に搭載されて前記車両の外にある被写体の映像に基づく動画を固定のフレームレートで無線で送信する動画送信装置（１）と、前記車両に搭載されて前記動画送信装置が送信した前記動画を受信し、受信した前記動画を構成する複数のフレームの各々に対して、フレームの進行と同期して、アニメーション画像を変化させて重畳し、前記アニメーション画像が重畳されたフレームから構成された前記動画に基づく映像を前記車両の乗員に表示する動画受信装置（２）と、を備えた動画通信システムである。
また、請求項１０に記載の発明は、車両に搭載されて前記車両の外にある被写体の映像に基づく動画を所定のフレームレートで無線で送信する動画送信装置（１）と、前記車両に搭載されて前記動画送信装置が送信した前記動画を受信し、受信した前記動画を構成する複数のフレームの各々に対して、フレームの進行と同期して、アニメーション画像を変化させて重畳し、前記アニメーション画像が重畳されたフレームから構成された前記動画に基づく映像を前記車両の乗員に表示する動画受信装置（２）と、を備え、前記動画受信装置は、前記フレームレートが所定の警告閾値（Ｒｗ）未満であり、前記フレームレートが継続して前記警告閾値未満である時間が基準時間（Ｔ１）を超えている場合、警告用画像（９２）を表示し、前記動画受信装置は、前記フレームレートが前記警告閾値未満であり、前記フレームレートが継続して前記警告閾値未満となっている時間が前記基準時間を超えていない場合、前記警告用画像を表示せず、かつ、受信した前記動画を構成する複数のフレームの各々に対して、フレームの進行と同期して、前記アニメーション画像を変化させて重畳することを特徴とする動画通信システムである。